(57)【要約】      （修正有）【課題】従来の害鳥獣の忌避装置では物理的な脅威を与えない装置は慣れによって効果が薄まり、物理的な脅威を与える装置は環境被害や火事などの危険を発生させたり人的資源を多く要するなどの問題があった。【解決手段】投擲体を発射する装置であって、水を凍結、加工することによって成形した投擲体を発射することにより、害鳥獣に慣れることのない物理的な脅威を与えることによって害鳥獣を忌避する。また、水を凍結、加工して成形した投擲体であることから、環境汚染や火事の心配もない。【選択図】図１
2010161999.tif 000002
【特許請求の範囲】
【請求項１】
害鳥獣の忌避装置において、水を凍結、加工することによって作った投擲体を害鳥獣に対して発射することにより、害鳥獣を追い払う害鳥獣の忌避装置。
【請求項２】
請求項１記載の害鳥獣の忌避装置において、投擲体の形状及び大きさ、構造の変更を可能にする事によって、飛距離を調整し、また威力の調整を可能とした害鳥獣の忌避装置。
【請求項３】
請求項１記載の投擲体を、回転する円盤を使用した投擲機に供給し、円盤の回転により発生する遠心力により多方向かつ広範囲に投擲体を発射することが可能な害鳥獣の忌避装置。
【請求項４】
請求項１記載の害鳥獣の忌避装置において、タイマー及びセンサーによるか、遠隔操作によって、使用者から離れた位置から投擲体を発射させることを特徴とする害鳥獣の忌避装置。
【請求項５】
請求項３記載の害鳥獣の忌避装置において、水を凍結、加工する装置を内部に備え投擲機とワンセットとしたことを特徴とする害鳥獣の忌避装置。
【請求項６】
請求項１記載の装置の動作音をランダムに発音することにより、無駄な発射回数を抑え、発射した場合と同様の害鳥獣の忌避を行うことを特徴とした害鳥獣の忌避装置。
【発明の詳細な説明】
【技術分野】
【０００１】
本発明は野生の害鳥獣を追い払うための装置に関する技術である。
【背景技術】
【０００２】
従来、害鳥獣の忌避においては、人間による見回りや、銃器を使用して追い払うといった方法、発光器、爆発音発生器、花火等を用いて驚かせ追い払う方法、害鳥獣の嫌悪する音を発生させて追い払う方法、またバルーンダミーや案山子などをつり下げて追い払う方法、放水により驚かすなどの方法があった。
【特許文献１】特願２００３−３４５３５８
【特許文献２】特願２００５−３２１４８３
【特許文献３】特開２００３−１６５０５４
【非特許文献１】日本農業新聞２００７年４月１９日（鳥にげーる）
【発明の開示】
【発明が解決しようとする課題】
【０００３】
上記従来技術の中で、音や光による忌避の場合は近隣に公害問題を起こす可能性があり、また継続して使用していると害鳥獣が慣れてしまい、効果が薄れていくと言う問題があった。
【０００４】
花火を発射する装置では、火事及び事故の危険性があり、発射前及び発射後の保守清掃の面倒があった。
【０００５】
銃器を使用する場合では、社会的な問題、有資格者の必要性、発射後の銃弾がもたらす環境被害、過剰な威力などの問題があった。
【０００６】
放水により追い払う方法もあるが、圧力水はすぐに霧状になってしまうので飛距離が短く、離れた位置にいる害鳥獣に対して適度な威力を保持して直接の脅威を感じさせることが出来なかった。
【０００７】
人間の見回りにより追い払う方法もあるが、人件費がかかり、また見回りがない時間には効果が無く、巨大施設においては、人間と害鳥獣との距離が離れている場合追い立てに行くまでに時間が掛かると言う問題があった。
【課題を解決するための手段】
【０００８】
本発明では、水を凍結、加工することによって作った投擲体を、水圧、ガス圧、バネ圧、電磁誘導による加速により作った圧力、モーターによる投擲などの投擲手段を用いて害鳥獣に対して発射する。
【０００９】
これにより威力の調整が可能であり事故の危険性が少なく、発射前及び発射後の保守清掃の面倒が極めて少ない。
【００１０】
また、発射後の投擲体が環境にもたらす影響は非常に少なく、発射に有資格者を必要としない。
【００１１】
また、放水と違って適度な威力を持って離れた位置にいる害鳥獣に脅威を感じさせる事が出来る。
【００１２】
また、遠隔での発射を可能にすることにより、人間が発射しに行く必要がなくなる。
【発明の効果】
【００１３】
本発明では投擲体が害鳥獣に直接の驚異を感じさせるため慣れることがない。
【００１４】
また、威力の調整が可能であり事故の危険性が少なく、発射前及び発射後の保守清掃の面倒が極めて少ない。
【００１５】
また、発射後の投擲体が環境にもたらす影響は非常に少なく、発射に有資格者を必要としない。
【００１６】
また、放水と違って適度な威力を持って離れた位置にいる害鳥獣に脅威を感じさせる事が出来る。
【００１７】
また、遠隔での発射を可能にすることにより害鳥獣の被害のあるような広範囲の環境において有効となり、人間が発射しに行く必要がなくなる。
【発明を実施するための最良の形態】
【００１８】
以下、本発明の実施の形態を図１に基づいて説明する。図１はモーター５によって回転する円盤である投擲装置４によって投擲体３を投擲する害鳥獣の忌避装置である。
【００１９】
給水管６から供給された水が製氷装置１で凍結、加工されてまばらな形状及び大きさの投擲体３となり、投擲体吐出口２から投擲装置４に供給されることによって投擲体３が投擲される。
【００２０】
このとき回転する円盤である投擲装置４の外周の一部を覆うようにカバー７を固定することにより、投擲体３の発射される方向を自由に制限することが可能になる。
【００２１】
また、製氷装置１の上部に接続されたスピーカ８から、あらかじめ録音しておいた本装置駆動音をランダムに発音することにより、発射回数を抑えかつ発射した場合と同様の害鳥獣の忌避を行うことが可能になる。
【実施例１】
【００２２】
図１にある実施において、投擲体３を図２の様にフレーク状の氷を圧縮することで雪玉のように構成し、又は図３にあるように外殻だけを凍結させて構成することにより、衝撃力の調整と凍結にかかる時間及びエネルギーを軽減させた。
【００２３】
また、投擲体３の原料となる水に害鳥獣の嫌がる色や臭いの物質を混ぜることで効果を向上させた。
【産業上の利用可能性】
【００２４】
本発明は害鳥獣の被害を受ける場所において、周辺に危険を与えず、運用の費用も少なく、害獣が慣れて効果が薄れてしまうことのない害鳥獣の忌避装置を提供可能とする。
本発明は農業被害に対応するだけでなく、飛行場などにおける害鳥獣の忌避にも直接的な脅威で害鳥獣を追い払うため、効果的である。
投擲体は水から作るため清掃、火災、公害、騒音等の現在までの害鳥獣の忌避装置が抱えていた問題が解決できる。
【図面の簡単な説明】
【００２５】
【図１】本発明を実施するための最良の形態の横図
【図２】本発明の実施例１に掛かる投擲体３の断面図
【図３】本発明の実施例１に掛かる投擲体３の断面図
【符号の説明】
【００２６】
１    製氷装置
２    投擲体吐出口
３    投擲体
４  投擲装置
５  モーター
６  給水管
７  カバー
８  スピーカ
【図１】
2010161999.tif 000003
【図２】
2010161999.tif 000004
【図３】
2010161999.tif 000005
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
害鳥獣の忌避装置において、水を凍結させ投擲可能な状態に加工する製氷装置と、当該製氷装置で製造された氷を受け投擲する投擲手段を設けたことを特徴とする害鳥獣の忌避装置。
【請求項２】
請求項１記載の害鳥獣の忌避装置において、前記投擲手段が、投擲体としての氷を受ける回転する円盤を有し、円盤の回転力により投擲体を投擲することを特徴とする害鳥獣の忌避装置。
【請求項３】
請求項１記載の害鳥獣の忌避装置において、駆動音をランダムに発音する手段を設けたことを特徴とする害鳥獣の忌避装置。
【請求項４】
請求項１記載の害鳥獣の忌避装置において、前記投擲手段は前記製氷装置で製造された氷を投擲体として供給する供給部材と、当該供給部材から供給された投擲体を受ける円盤と、当該円盤を回転させるモーターを設け、当該モーターの回転によって投擲体を投擲することを特徴とする害鳥獣の忌避装置。
【手続補正２】
【補正対象書類名】明細書
【補正対象項目名】０００８
【補正方法】変更
【補正の内容】
【０００８】
本発明では、水を凍結、加工することによって作った投擲体を、水圧、ガス圧、バネ圧、電磁誘導による加速により作った圧力、モーターによる投擲などの投擲手段を用いて害鳥獣に対して投擲する。
【手続補正３】
【補正対象書類名】明細書
【補正対象項目名】００１０
【補正方法】変更
【補正の内容】
【００１０】
また、威力の調整が可能であり事故の危険性が少なく、投擲前及び投擲後の保守清掃の面倒が極めて少ない。
【手続補正４】
【補正対象書類名】明細書
【補正対象項目名】００１１
【補正方法】変更
【補正の内容】
【００１１】
また、投擲後の投擲体が環境にもたらす影響は非常に少なく、投擲に有資格者を必要としない。
【手続補正５】
【補正対象書類名】明細書
【補正対象項目名】００１３
【補正方法】変更
【補正の内容】
【００１３】
また、遠隔での投擲を可能にすることにより害鳥獣の被害のあるような広範囲の環境において有効となり、人間が投擲しに行く必要がなくなる。
【手続補正６】
【補正対象書類名】明細書
【補正対象項目名】００１６
【補正方法】変更
【補正の内容】
【００１６】
このとき回転する円盤である投擲装置４の外周の一部を覆うようにカバー７を固定することにより、投擲体３の投擲される方向を自由に制限することが可能になる。
【手続補正７】
【補正対象書類名】明細書
【補正対象項目名】００１７
【補正方法】変更
【補正の内容】
【００１７】
また、製氷装置１の上部に接続されたスピーカ８から、あらかじめ録音しておいた本装置駆動音をランダムに発音することにより、投擲回数を抑えかつ投擲した場合と同様の害鳥獣の忌避を行うことが可能になる。